(57)【要約】【課題】肌に触れる表面側は滑らかで柔らかく、肌触りの良い触感であり、紙おむつと接する裏面側は紙おむつからずれにくい吸収性物品、を提供する。【解決手段】吸収性物品であって、液透過性の第１のトップシートと、液透過性の第２のトップシートと、第１のトップシートと第２のトップシートとの間に設けられた吸収層とを備え、第１のトップシートが第２のトップシートとは異なる静摩擦係数を有することを特徴とする吸収性物品。【選択図】図１
2015092916.tif 000002
【特許請求の範囲】
【請求項１】
吸収性物品であって、
液透過性の第１のトップシートと、
液透過性の第２のトップシートと、
前記第１のトップシートと前記第２のトップシートとの間に設けられた吸収層とを備え、
前記第１のトップシートが前記第２のトップシートとは異なる静摩擦係数を有することを特徴とする吸収性物品。
【請求項２】
前記第１のトップシートが前記第２のトップシートよりも小さい静摩擦係数を有することを特徴とする請求項１に記載の吸収性物品。
【請求項３】
前記第１のトップシートが不織布により形成され、０．２以上０．８以下の静摩擦係数を有することを特徴とする請求項１又は２に記載の吸収性物品。
【請求項４】
前記第２のトップシートが不織布により形成され、０．８以上１．５以下の静摩擦係数を有することを特徴とする請求項１ないし３のいずれか１項に記載の吸収性物品。
【請求項５】
前記第１のトップシートが前記第２のトップシートよりも０．２以上小さい静摩擦係数を有することを特徴とする請求項１ないし４のいずれか１項に記載の吸収性物品。
【発明の詳細な説明】
【技術分野】
【０００１】
本発明は、吸収性物品に関する。より詳細に、本発明は、表面側、裏面側の両面どちらからでも尿を吸収可能な、使い捨て紙おむつなどに用いられる吸収性物品に関する。
【背景技術】
【０００２】
従来、幼児や成人の尿などの排せつ物を吸収するため、パンツ型やテープ止めタイプ、パッドタイプ、衛生用ナプキン等様々な吸収性物品が使用されている。特に、表面側、裏面側の両面どちらからでも尿を吸収可能な吸収性物品においては、テープ止めやパンツ等他の使い捨て紙おむつ等と組み合わせて使用されている（特許文献１〜３）。この様な吸収性物品は、肌に触れる表面側は滑らかで柔らかく、肌触りの良い触感であり、紙おむつと接する裏面側は紙おむつからずれにくいことが好ましい。しかしながら、従来の表面側、裏面側の両面どちらからでも尿を吸収可能な吸収性物品は、表裏面が同一の素材であるため両方の要求を同時に満たすことが難しい、といった問題があった。
【先行技術文献】
【特許文献】
【０００３】
【特許文献１】特開２０１３−１３２５３７号公報
【特許文献２】特開２０１３−０４３０４２号公報
【特許文献３】特開２０１３−０４３０４１号公報
【発明の概要】
【発明が解決しようとする課題】
【０００４】
本発明は、肌に触れる表面側は滑らかで柔らかく、肌触りの良い触感であり、紙おむつと接する裏面側は紙おむつからずれにくい吸収性物品を提供することを課題とする。
【課題を解決するための手段】
【０００５】
本発明者等は、上記課題を解決すべく鋭意検討した。その結果、表面側の液透過性トップシートと、裏面側の液透過性トップシートと、その間に設けられた吸収層とを備えた吸収性物品において、表面側液透過性トップシートの静摩擦係数と裏面側液透過性トップシートの静摩擦係数に特定範囲の差異がある場合に限って、肌に触れる表面側は滑らかで柔らかく、肌触りの良い触感であり、紙おむつと接する裏面側は紙おむつからずれにくい吸収性物品が得られることを見出した。本発明は、これらの知見に基づきさらに検討を重ねた結果、完成するに至ったものである。
【０００６】
すなわち、本発明は以下の態様を包含するものである。
〔１〕吸収性物品であって、液透過性の第１のトップシートと、液透過性の第２のトップシートと、第１のトップシートと第２のトップシートとの間に設けられた吸収層とを備え、第１のトップシートが第２のトップシートとは異なる静摩擦係数を有することを特徴とする吸収性物品。
〔２〕第１のトップシートが第２のトップシートよりも小さい静摩擦係数を有することを特徴とする〔１〕に記載の吸収性物品。
〔３〕第１のトップシートが不織布により形成され、０．２以上０．８以下の静摩擦係数を有することを特徴とする〔１〕又は〔２〕に記載の吸収性物品。
〔４〕第２のトップシートが不織布により形成され、０．８以上１．５以下の静摩擦係数を有することを特徴とする〔１〕ないし〔３〕のいずれか１項に記載の吸収性物品。
〔５〕第１のトップシートが第２のトップシートよりも０．２以上小さい静摩擦係数を有することを特徴とする〔１〕ないし〔４〕のいずれか１項に記載の吸収性物品。
【発明の効果】
【０００７】
本発明の吸収性物品は、テープ止めやパンツ等他の紙おむつと組み合わせて使用された場合において、肌に触れる表面側は滑らかで柔らかく、肌触りの良い触感であり、紙おむつと接する裏面側は紙おむつからずれにくい、といった優れた効果を有する。
【図面の簡単な説明】
【０００８】
【図１】本発明の吸収性物品の断面図である。
【発明を実施するための形態】
【０００９】
本発明の吸収性物品は、液透過性の第１のトップシートと、液透過性の第２のトップシートと、第１のトップシートと第２のトップシートとの間に設けられた吸収層とを備え、第１のトップシートが第２のトップシートとは異なる静摩擦係数を有することを特徴とする。
【００１０】
本発明の吸収性物品の具体例を図１に示す。
図１において、本発明の吸収性物品１は肌に触れる表面側に用いられる液透過性の第１のトップシート３と、紙おむつと接する裏面側に用いられる液透過性の第２のトップシート４と、第１のトップシート３と第２のトップシート４との間に設けられた尿などの排せつ物を吸収する吸収層２を備える。
【００１１】
第１のトップシート３は、吸収性物品１の肌に触れる表面側に用いられ、液透過性である。使用者の肌に触れるため、感触が柔らかで、皮膚に刺激を与えない静摩擦係数の低い不織布により形成されていることが好ましく、エアスルータイプ、スパンボンドタイプ、あるいはポイントボンドタイプの不織布が好ましい。不織布の摩擦性は、一般に構成繊維の繊度（太さ/細さ）の低いものが、表面が滑らかであり摩擦係数は低いので、構成繊維の繊度によって、第１のトップシート３に適した静摩擦係数の低い不織布を選ぶことが出来る。静摩擦係数はＪＩＳ  Ｋ７１２５に準拠して測定した値である。
第１のトップシート３に用いられる不織布は、０．２以上０．８以下の低い静摩擦係数を有することが好ましく、０．２以上０．６以下の静摩擦係数を有することがさらに好ましい。静摩擦係数が０．２未満であると繊度が小さすぎる（細かすぎる）ため吸収速度が悪くなり、逆に静摩擦係数が０．８よりも高い場合には、肌に触れた時に感触が硬く皮膚に刺激を与える恐れがある。
【００１２】
第２のトップシート４は、吸収性物品１の紙おむつと接する裏面側に用いられ、液透過性である。紙おむつに触れるため、紙おむつからずれにくいように抵抗の大きい静摩擦係数の高い不織布により形成されていることが好ましく、エアスルータイプ、スパンボンドタイプ、あるいはポイントボンドタイプの不織布が好ましい。不織布の摩擦性は、繊度の高いものが、表面が荒く繊維の引っかかりが大きいため摩擦係数は高いので、構成繊維の繊度によって、第２のトップシート４に適した静摩擦係数の高い不織布を選ぶことが出来る。静摩擦係数はＪＩＳ  Ｋ７１２５に準拠して測定した値である
第２のトップシート４に用いられる不織布は、０．８以上１．５以下の高い静摩擦係数を有することが好ましく、１．０以上１．５以下の静摩擦係数を有することがさらに好ましい。静摩擦係数が０．８未満であると吸収性物品と紙おむつとの抵抗が小さいため吸収性物品と紙おむつがずれる恐れがあり、逆に静摩擦係数が１．５よりも高い場合には滑りが悪くなるために、吸収性物品の製造時やポリ袋への包装時にトラブルが発生しやすくなる。
【００１３】
本発明において、第１のトップシート３は第２のトップシート４よりも小さい静摩擦係数を有する。第１のトップシート３は第２のトップシート４よりも０．２以上小さい静摩擦係数であることが好ましく、０．５以上小さい静摩擦係数であることが更に好ましい。第１のトップシート３が第２のトップシート４よりも静摩擦係数が０．２よりも小さくなると、第１のトップシート３と肌との接触抵抗と、第２のトップシート４と紙おむつとの接触抵抗とが近くなるため、吸収性物品が肌や紙おむつとずれる可能性がある。
【００１４】
吸収層２は、第１のトップシート３と第２のトップシート４との間に設けられ、第１のトップシート３及び第２のトップシート４を通過した尿などの排せつ物を吸収する。
吸収層２は、尿などの排せつ物を吸収できるものであればいずれの物質であっても良いが、例えばフラッフパルプのような、フラッフのウェブの親水性繊維マトリックスを、公知の高吸水性樹脂（以下、ＳＡＰと呼称することがある。）の粒子と混合して形成することができる。ここでフラッフパルプとしては、サウザンパインやダグラスファーなどのＮ−ＢＫＰが好適に使用される。機械的な解繊が容易なように薬剤処理したものを用いてもよい。フラッフには、フラッフパルプの代わりに合成繊維、ポリマー繊維、連続気泡を有する発泡体などを使用してもよい。
【００１５】
第１のトップシート３と第２のトップシート４は、おむつからのずれを防止する観点から、吸収層２を挟み込み、第１のトップシート３と第２のトップシート４の縁部をホットメルト接着剤あるいはヒートシールにより貼りあわせ、吸収層２を固定することが好ましい。
【実施例】
【００１６】
以下に実施例により本発明を更に詳細に説明する。但し、本発明は以下の実施例により何ら制限されるものではない。
【００１７】
実施例において、静摩擦係数、第１のトップシートの表面肌触り官能評価、及び第２のトップシートとおむつとのずれ官能評価は次の方法によって評価した。
【００１８】
＜静摩擦係数＞
ＪＩＳ  Ｋ７１２５に準拠して測定した。
【００１９】
＜表面肌触り官能評価＞
表面肌触り官能評価は、第１のトップシート表面について、装着前に手で触った感触及びおむつに装着して肌に触れる感触のそれぞれについて相対比較評価により行った。この評価は、調査員２０名によるモニター装着テストによる評価点方式によって行った。評価点は、表１に示した参考例を標準として、参考例よりも良い３点、同等１点、悪い０点の３段階とし、調査員による評価点の平均値とした。
【００２０】
＜おむつとのずれ官能評価＞
おむつとのずれ官能評価は、第２のトップシート表面と併用するおむつに当てて装着している間に発生するおむつとのずれについて、装着中のずれの感触と装着後のおむつとの目視によるずれのそれぞれについて相対比較評価により行った。この評価は、調査員２０名によるモニター装着テストによる評価点方式によって行った。評価点は、表１に示した参考例を標準として、参考例よりも良い（ずれが小さい）３点、同等１点、悪い（ずれが大きい）０点の３段階とし、調査員による評価点の平均値とした。
【００２１】
実施例１
静摩擦係数０．４、坪量２０ｇ／ｍ２、のエアスルー不織布により形成された第１のトップシート、静摩擦係数１．０、坪量２０ｇ／ｍ２、のエアスルー不織布により形成された第２のトップシート、及びフラッフパルプ１６ｇとＳＡＰ４ｇの混合物により形成された長手方向長さ４２０ｍｍで短方向長さ１５０ｍｍの吸着層から成る吸収性物品（長手方向長さ４８０ｍｍ、短方向長さ１９０ｍｍ）を製造し、表面肌触り官能評価及びおむつとのずれ官能評価を行った。結果を表１に示す。
【００２２】
実施例２
静摩擦係数０．４、坪量１８ｇ／ｍ２、のスパンボンド不織布により形成された第１のトップシート、静摩擦係数１．０、坪量１８ｇ／ｍ２、のポイントボンド不織布により形成された第２のトップシート、及び実施例１と同様の吸着層から成る吸収性物品（長手方向長さ４８０ｍｍ、短方向長さ１９０ｍｍ）を製造し、表面肌触り官能評価及びおむつとのずれ官能評価を行った。結果を表１に示す。
【００２３】
参考例
静摩擦係数０．８、坪量２０ｇ／ｍ２、のエアスルー不織布により形成された第１のトップシート及び第２のトップシート、及び実施例１と同様の吸着層から成る吸収性物品（長手方向長さ４８０ｍｍ、短方向長さ１９０ｍｍ）を製造し、表面肌触り官能評価及びおむつとのずれ官能評価を行った。結果を表１に示す。
【００２４】
比較例１
静摩擦係数１．０、坪量２０ｇ／ｍ２、のエアスルー不織布により形成された第１のトップシート、静摩擦係数０．４、坪量２０ｇ／ｍ２、のエアスルー不織布により形成された第２のトップシート、及び実施例１と同様の吸着層から成る吸収性物品（長手方向長さ４８０ｍｍ、短方向長さ１９０ｍｍ）を製造し、表面肌触り官能評価及びおむつとのずれ官能評価を行った。結果を表１に示す。
【００２５】
比較例２
静摩擦係数１．０、坪量１８ｇ／ｍ２、のポイントボンド不織布により形成された第１のトップシート、静摩擦係数０．４、坪量１８ｇ／ｍ２、のスパンボンド不織布により形成された第２のトップシート、及び実施例１と同様の吸着層から成る吸収性物品（長手方向長さ４８０ｍｍ、短方向長さ１９０ｍｍ）を製造し、表面肌触り官能評価及びおむつとのずれ官能評価を行った。結果を表１に示す。
【００２６】
表１から、実施例１と参考例を比較すると、実施例１の静摩擦係数の低い第１のトップシートは肌触りの評価が参考例よりも高く、静摩擦係数の高い第２のトップシートはおむつとのずれの評価が参考例よりも高かった。実施例２も同様の評価であった。比較例１は、実施例１の第１のトップシートと第２のトップシートを逆転させた場合で、肌触り、おむつとのずれ共に参考例よりも評価が低かった。比較例２は、実施例２の第１のトップシートと第２のトップシートを逆転させた場合で、肌触り、おむつずれ共に参考例よりも評価が低かった。
【００２７】
【表１】
2015092916.tif 000003
【符号の説明】
【００２８】
１  吸収性物品
２  吸収層
３  第１のトップシート
４  第２のトップシート
【図１】
2015092916.tif 000004